(57)【要約】      （修正有）【課題】  転覆した小型水上艇を復帰させる際に、正しい回転方向に小型水上艇を速やかに回転させることができる小型水上艇を提供する。【解決手段】  小型水上艇１０は、艇体１１に搭載されるエンジンの排気装置３１にマフラー３２を備え、このマフラー３２に接続した排気管３３を一旦上方に延ばしたのち下方に延ばした略逆Ｕ字形とし、この逆Ｕ字形の排気管３３を通してマフラー３２内の排気ガスを排気管３３の排気口３４から外部に排出するように構成したものである。この小型水上艇１０は、マフラー３２を艇体１１の左側空間３６に配置するとともに、排気口３４を、マフラー３２より艇体１１の右側部位３８寄りに配置し、艇体１１の右側部位３８に、転覆状態において水中に位置し、水を取り込み可能な水取込み部４０を備える。【選択図】図２
2006082788.tif 000002
【特許請求の範囲】
【請求項１】
艇体に搭載されるエンジンの排気装置にマフラーを備え、このマフラーに接続した排気管を一旦上方に延ばしたのち下方に延ばした略逆Ｕ字形とし、この逆Ｕ字形の排気管を通してマフラー内の排気ガスを排気口から外部に排出する小型水上艇において、
前記マフラーを艇体の一方側に配置するとともに、前記排気口をマフラーより艇体の他方側寄りに配置し、
艇体の他方側に、転覆状態において水中に位置し、水を取り込み可能な水取込み空間を備えたことを特徴とする小型水上艇。
【請求項２】
前記水取込み空間は、小型水上艇が正常の姿勢において、水上に位置し、かつ取り込んだ水を排水するように構成したことを特徴とする請求項１記載の小型水上艇。
【発明の詳細な説明】
【技術分野】
【０００１】
本発明は、エンジンの排気装置の途中に逆Ｕ字形の排気管を備え、この排気管を通して排気ガスを排気口から外部に排出する小型水上艇に関する。
【背景技術】
【０００２】
小型水上艇のなかには、駆動用のエンジンの排気装置にマフラーを設け、このマフラーに接続した排気管を略逆Ｕ字形とし、この排気管を通してマフラー内の排気ガスを排気口から外部に排出するものがある（例えば、特許文献１参照。）。
【特許文献１】特開２００２−２５９３号公報
【０００３】
特許文献１を次図に基づいて説明する。
図６は従来の基本構成を説明する図である。
小型水上艇１００は、エンジン１０１でドライブシャフト１０２を回転してジェット推進機１０３を駆動し、ジェット推進機１０３の前端部１０３ａから吸い込んだ水を、後端部１０３ｂからジェット水として後方に噴射することにより推進（滑走）させるものである。
【０００４】
この小型水上艇１００は、エンジン１０１の排気系統の途中に略逆Ｕ字形の排気ホース１０５を備える。
略逆Ｕ字形の排気ホース１０５を備えることで、排気ホース１０５に侵入した水がエンジン１０１側に侵入することを防止する。
【０００５】
例えば、水中で転覆した小型水上艇１００は、排気ホース１０５の排気口が上向きになり、排気口から排気ホース１０５内に水が侵入する虞がある。
侵入した水は、略逆Ｕ字形に形成した排気ホース１０５の頂部１０５ａに溜まり、エンジン１０１側に侵入しない。
【０００６】
転覆した小型水上艇１００を、正常の姿勢に復帰させるときには、排気口が下方に下がるように小型水上艇１００を回転させて、頂部１０５ａに溜まった水を、排気口から外部に排水させる必要がある。
【発明の開示】
【発明が解決しようとする課題】
【０００７】
このため、転覆した小型水上艇１００を、正常の姿勢に復帰させるときの回転方向を、小型水上艇１００の後端部に表示している。
しかし、小型水上艇１００の復帰作業は、水中でおこなう作業であり、作業者は、艇体１００の後端部に表示した回転方向を確認するまでに時間がかかる場合がある。
【０００８】
本発明は、転覆した小型水上艇を復帰させる際に、正しい回転方向に小型水上艇を速やかに回転させることができる小型水上艇を提供することを課題とする。
【課題を解決するための手段】
【０００９】
請求項１に係る発明は、艇体に搭載されるエンジンの排気装置にマフラーを備え、このマフラーに接続した排気管を一旦上方に延ばしたのち下方に延ばした略逆Ｕ字形とし、この逆Ｕ字形の排気管を通してマフラー内の排気ガスを排気口から外部に排出する小型水上艇において、前記マフラーを艇体の一方側に配置するとともに、前記排気口をマフラーより艇体の他方側寄りに配置し、艇体の他方側に、転覆状態において水中に位置し、水を取り込み可能な水取込み空間を備えたことを特徴とする。
【００１０】
艇体の一方の側部にマフラーを配置するとともに、マフラーより艇体の他方側寄りに排気口を配置する。そして、艇体の他方側に水取込み空間を備えた。
転覆状態において、水取込み空間が水中に位置し、水取込み空間に水が流れ込む。水取込み空間に水が溜まり、艇体の他方側の浮力が、一方側と比較して小さくなる。よって、小型水上艇は、他方側が下がった状態に傾く。
【００１１】
ここで、転覆した小型水上艇を復帰させる作業を考慮すると、下がっている側を下方に向けて回転させた方が作業は容易である。
このため、転覆した小型水上艇を復帰させる際に、作業者は、通常、下がった状態になっている他方側を、さらに下げるように小型水上艇を回転することが考えられる。
【００１２】
そこで、請求項１において、下がった状態になっている他方側を、さらに下げる回転方向を正しい回転方向とした。これにより、作業者は、艇体に表示されている回転方向を確認しなくても、正しい回転方向に小型水上艇を速やかに回転することが可能になる。
加えて、この正しい回転により、艇体の一方側のマフラーが上昇するとともに排気口が下降し、略逆Ｕ字形の排気管の頂部に溜まった水は、排気口側に流れ、排気口から排水する。
【００１３】
請求項２は、水取込み空間は、小型水上艇が正常の姿勢において、水上に位置し、かつ取り込んだ水を排水するように構成したことを特徴とする。
【００１４】
小型水上艇が正常の姿勢において、水取込み空間が水上に位置し、水取込み空間に取り込んだ水を排水する。
これにより、小型水上艇の運転時に、小型水上艇の左右の重量バランスを均等に保つことができる。
【発明の効果】
【００１５】
請求項１に係る発明では、小型水上艇を復帰させる正しい回転方向を、下がった状態になっている他方側を、さらに下げる回転方向とすることで、作業者は正しい回転方向に小型水上艇を速やかに回転させて正常の姿勢に復帰することができるという利点がある。
【００１６】
請求項２に係る発明では、小型水上艇が正常の姿勢において、水取込み空間に取り込んだ水を排水することで、小型水上艇の左右の重量バランスを均等に保ち、小型水上艇を好適な状態で滑走させることができるという利点がある。
【発明を実施するための最良の形態】
【００１７】
本発明を実施するための最良の形態を添付図に基づいて以下に説明する。なお、「前」、「後」、「左」、「右」は運転者から見た方向に従い、Ｆｒは前側、Ｒｒは後側、Ｌは左側、Ｒは右側を示す。
【００１８】
図１は本発明に係る小型水上艇の側面図である。
小型水上艇１０は、艇体１１の前部１２に燃料タンク１３を取り付け、この燃料タンク１３の後方にエンジン１４を設け、このエンジン１４後方の艇尾（艇体の後部）１５にポンプ室１６を設け、このポンプ室１６にウォータージェット推進機１７を備え、ウォータージェット推進機１７のインペラー１７ａをドライブシャフト１８を介してエンジン１４に連結したものである。
【００１９】
さらに、小型水上艇１０は、ウォータージェット推進機１７の後方に上下のピン１９，１９を介してステアリングノズル２１を左右にスイング自在に備え、このステアリングノズル２１を左右にスイング操作する操舵ハンドル２２を燃料タンク１３の上方に取り付け、操舵ハンドル２２の後方にシート２３を備える。
【００２０】
小型水上艇１０によれば、エンジン１４でドライブシャフト１８を回転することによりインペラー１７ａを回転する。インペラー１７ａが回転することにより、艇底２４の吸込み口２５から水流ダクト２６に水を導入し、導入した水を水流ダクト２６を経てウォータージェット推進機１７内に吸い込む。
吸い込んだ水をステアリングノズル２１の後端部から後方に向けて噴射することで、小型水上艇１０を推進（滑走）させる。
【００２１】
図２は本発明に係る小型水上艇の断面図である。
小型水上艇１０は、艇体１１に搭載されるエンジンの排気装置３１にマフラー３２を備え、このマフラー３２に接続した排気管３３を一旦上方に延ばしたのち下方に延ばした略逆Ｕ字形とし、この逆Ｕ字形の排気管３３を通してマフラー３２内の排気ガスを排気管３３の排気口３４から外部に排出するように構成したものである。
【００２２】
この小型水上艇１０は、マフラー３２を艇体１１の左側空間（艇体の一方側）３６に配置するとともに、排気口３４を、マフラー３２よりも艇体１１の右側部位（艇体の他方側）３８寄りの略中央３７に配置し、艇体１１の右側部位３８に、転覆状態において水中に位置し、水を取り込み可能な水取込み部４０を備える。
【００２３】
排気装置３１は、エンジン１３（図１参照）にエキゾーストパイプ（図示せず）などを介して、マフラー３２を繋ぎ、このマフラー３２に略逆Ｕ字形の排気管３３を繋ぎ、排気管３３の排出側端部４１をポンプ室１６の天井壁４２に貫通させ、この排出側端部４１の排気口３４をポンプ室１６内に臨ませたものである。
【００２４】
艇体１１は、下半部分をハル４６で構成し、上半部分をデッキ４７で構成し、ハル４６の周縁４６ａにデッキ４７の周縁４７ａを接着したものである。
デッキ４７は、左右のフート部４８，４９を備え、右フート部４９の近傍から仕切壁５１を略水平に延ばし、仕切壁５１の端部に折曲片５２を備える。
【００２５】
この折曲片５２をハル４６の右側壁５３に接着することで、ハル４６の右側壁５３、デッキ４７の右側壁５４および仕切壁５１で、水取込み空間５５を形成する。
デッキ４７の右側壁５４の上部に上貫通孔５７を形成するとともに、デッキ４７の右側壁５４の下部に下貫通孔５８を形成する。
すなわち、ハル４６の右側壁５３、デッキ４７の右側壁５４および仕切壁５１で、水取込み部４０を構成する。
【００２６】
水取込み部４０は、転覆状態において水中に位置し、上下の貫通孔５７，５８から水取込み空間５５に水を取り込むように構成したものである。
加えて、水取込み部４０は、小型水上艇１０が正常の姿勢において、水面の上方（水上）に位置し、かつ水取込み空間５５に取り込んだ水を下貫通孔５８から外部に排水するように構成したものである。
【００２７】
ハル４６の裏面にプレート６１を取り付け、ハル４６とプレート６１との間の空間に５個の浮体（発泡材）６２…（…は複数個を示す）を備える。
さらに、プレート６１の左端部６１ａ、ハル４６の左側壁６３、およびデッキ４７の左側壁６４で形成する空間に、左浮体６５を設ける。
加えて、プレート６１の右端部６１ｂ、ハル４６の右側壁５３の下部、デッキ４７の右フート部４９および仕切壁５１で形成する空間に、左浮体６６を設ける。
【００２８】
次に、小型水上艇１０の作用を図３〜図５に基づいて説明する。
図３（ａ），（ｂ）は本発明に係る小型水上艇が転覆した例を説明する図である。
（ａ）において、小型水上艇１０が転覆状態になると、水取込み部４０が水面６８の下方、すなわち水中に位置する。
水取込み部４０が水中に位置することで、上下の貫通孔５７，５８から水取込み空間５５に水が矢印ａの如く流れ込む。
ここで、排気口３４から排気管３３内に水６９が侵入する虞がある。排気管３３内に侵入した水６９は、排気管３３の頂部３３ａに溜まる。
【００２９】
（ｂ）において、水取込み空間５５に水７１が溜まり、艇体１１の右側部１１ａの浮力が、左側部１１ｂと比較して小さくなる。
よって、小型水上艇１０は、矢印ｂの如く右側部１１ａが下がった状態に傾く。
【００３０】
図４（ａ），（ｂ）は本発明に係る小型水上艇を正常の姿勢に復帰させる例を説明する図である。
（ａ）において、艇体１１の後部左側の部位１１ｃに表示プレート７３を設けている。この表示プレート７３は、転覆した小型水上艇１０を、正常の姿勢に復帰させるときの回転方向を、例えば矢印７４で表示している。
矢印７４は、右側部１１ａを下げる方向の回転を示している。
【００３１】
艇体１１の後部左側の部位１１ｃに表示プレート７３を設けることで、小型水上艇１０の右側部１１ａが下がった状態に傾いた場合でも、表示プレート７３を水面６８の上方に位置させることができる。
【００３２】
作業者７６は、転覆した小型水上艇１０を復帰させる際に、表示プレート７３で回転方向を確認する。
表示プレート７３の指示に従って、予め、下がった状態になっている右側部１１ａを、さらに下げる方向に小型水上艇１０を矢印ｃの如く回転させる。
【００３３】
このように、転覆状態の小型水上艇１０を、予め下がった右側部１１ａを、さらに下げるように回転させることで、作業者７６は、小型水上艇１０を正しい方向に速やかに回転させて、正常の姿勢に復帰させる。
【００３４】
ここで、転覆した小型水上艇１０を復帰させる際に、小型水上艇１０の右側部１１ａが、予め下がった状態になっているので、右側部１１ａを、さらに下げるように回転させた方が小型水上艇１０を簡単に復帰させることが可能である。
このため、転覆した小型水上艇１０を復帰させる際に、作業者７６は、通常、右側部１１ａを、さらに下げるように小型水上艇１０を回転することが考えられる。
【００３５】
よって、作業者７６が、万一、正しい回転方向に気づかない場合でも、作業者７６は右側部１１ａを下げる方向に回転させることになる。
これにより、作業者７６は、小型水上艇１０を正しい方向に速やかに回転させて、正常の姿勢に復帰させることができる。
【００３６】
（ｂ）において、右側部１１ａを下げる方向に小型水上艇１０を矢印ｃの如く回転させることで、艇体１１の左側部１１ｂが上昇する。
マフラー３２が上方に移動するとともに、排気口３４が下方に移動する。よって、略逆Ｕ字形の排気管３３の頂部３３ａに溜まった水６９が排気口３４側に移動する。
【００３７】
図５は本発明に係る小型水上艇を正常の姿勢に復帰させた例を説明する図である。
小型水上艇１０が正常の姿勢に復帰することで、排気口３４が下向きになり、排気管３３内の水６９（図４（ｂ）参照）を、排気口３４からポンプ室１６に矢印ｄの如く排水する。
【００３８】
さらに、小型水上艇１０が正常の姿勢において、水取込み部４０が水面６８の上方、すなわち上方に位置する。
よって、水取込み空間５５の内部に取り込んだ水７１を、下貫通孔５８から外部に矢印ｅの如く水の自重で自然排水させる。
これにより、小型水上艇１０の運転時に、小型水上艇１０の左右の重量バランスを均等に保ち、小型水上艇１０を好適な状態で推進（滑走）させることができる。
【００３９】
なお、前記実施の形態では、艇体１１の左側空間３６にマフラー３２を配置するとともに、艇体１１の右側部位３８に水取込み部４０を備えた例について説明したが、これに限らないで、艇体１１の右側空間にマフラー３２を配置するとともに、艇体１１の左側部位に水取込み部４０を備えても同様の効果を得ることができる。
【００４０】
また、前記実施の形態では、小型水上艇１０が正常の姿勢において、水取込み空間５５に取り込んだ水７１を下貫通孔５８から自然排水させた例について説明したが、これに限らないで、例えばビルジポンプ（ｂｉｌｇｅ  ｐｕｍｐ）などの排水手段を用いて排水することも可能である。
ここで、ビルジポンプとは、ビルジ（船底に溜まった汚水）を吸引・排出するポンプである。
【産業上の利用可能性】
【００４１】
本発明は、エンジンの排気装置の途中に逆Ｕ字形の排気管を備え、この排気管を通して排気ガスを排気口から外部に排出する小型水上艇への適用に好適である。
【図面の簡単な説明】
【００４２】
【図１】本発明に係る小型水上艇の側面図である。
【図２】本発明に係る小型水上艇の断面図である。
【図３】本発明に係る小型水上艇が転覆した例を説明する図である。
【図４】本発明に係る小型水上艇を正常の姿勢に復帰させる例を説明する図である。
【図５】本発明に係る小型水上艇を正常の姿勢に復帰させた例を説明する図である。
【図６】従来の基本構成を説明する図である。
【符号の説明】
【００４３】
１０…小型水上艇、１１…艇体、１４…エンジン、３１…排気装置、３２…マフラー、３３…排気管、３４…排気口、３６…艇体の左側空間（艇体の一方側）、３７…艇体１１の略中央、３８…艇体の右側部位（艇体の他方側）、４０…水取込み部、５５…水取込み空間、６８…水面、７１…水。
【図１】
2006082788.tif 000003
【図２】
2006082788.tif 000004
【図３】
2006082788.tif 000005
【図４】
2006082788.tif 000006
【図５】
2006082788.tif 000007
【図６】
2006082788.tif 000008